(57)【要約】      （修正有）【課題】再読み込み動作に要する時間を排除して早期起動を実現したマルチメディアプレーヤ、並びにその為の早期起動用プログラムを提供する。【解決手段】音声ＣＤ１０に記録された信号を読み取る光ピックアップ２と、これから出力される信号を復調する信号復号化回路３と、復調された信号から音声ＣＤ１０の記録方式を識別し、記録方式に応じて復調された信号を処理する信号処理部５と、処理後の信号を記録するメモリバッファ４と、メモリバッファ４の最後のアドレスを記憶するアドレス記憶部６と、処理後の信号を出力する出力部８とを備え、信号処理部５は、記録方式を識別した後に続けて信号の処理を行う場合に、メモリバッファ４に記録された信号を出力すると共に、アドレス記憶部６に記憶されたアドレスの次のアドレスから信号を読み取るよう光ピックアップ２に指示する。【選択図】  図２
2004178646.tif 000002
【特許請求の範囲】
【請求項１】
記録媒体に記録された信号を読み取るピックアップと、
前記ピックアップから出力される信号を復調する信号復号化手段と、
前記復調された信号から前記記録媒体の記録方式を識別し、当該記録方式に適合した方法で前記復調された信号を処理し出力する信号処理手段と、
前記信号処理手段によって処理された信号を記録するメモリバッファと、
前記メモリバッファに記録された信号の最後の信号のアドレスを記憶するアドレス記憶手段と、
前記信号処理手段によって処理された信号を出力する出力手段と、
を有するマルチメディアプレーヤにおいて、
前記信号処理手段は、前記記録方式を識別した後に続けて信号の処理を行う場合に、前記メモリバッファに記録された信号を出力すると共に、前記アドレス記憶手段に記憶された前記アドレスの次のアドレスから信号を読み取るよう前記ピックアップに指示する、
ことを特徴とするマルチメディアプレーヤ。
【請求項２】
請求項１に記載のマルチメディアプレーヤにおいて、
前記ピックアップは、前記出力手段が前記復調した信号を出力する速度よりも大きい速度で、記録媒体に記録された信号を読み取る、
ことを特徴とするマルチメディアプレーヤ。
【請求項３】
請求項１又は請求項２に記載のマルチメディアプレーヤにおいて、
前記記録媒体はコンパクトディスク（ＣＤ）であり、
前記信号識別手段は、前記記録媒体の記録方式が通常のディジタルオーディオＣＤ（ＣＤ−ＤＡ）かＤＴＳ方式で記録されたＣＤ（ｄｔｓ−ＣＤ）かのいずれの方式であるかを識別する、
ことを特徴とするマルチメディアプレーヤ。
【請求項４】
ピックアップが記録媒体に記録された信号を読み取る工程と、
信号復号化手段が前記ピックアップから出力される信号を復調する工程と、
信号処理手段が、前記復調された信号から前記記録媒体の記録方式を識別し、当該記録方式に適合した方法で前記復調された信号を処理し出力する工程と、
メモリバッファが前記信号処理手段によって処理された信号を記録する工程と、
前記メモリバッファに記録された信号の最後の信号のアドレスをアドレス記憶手段に記憶するアドレス記憶工程と、
出力手段が前記復調した信号を出力する工程と、
を有するマルチメディアプレーヤの早期起動方法において、
前記信号処理手段が前記信号の種類を識別した後に続けて信号の復調を行う場合に、前記メモリバッファに記録された信号を出力すると共に、前記アドレス記憶手段に記憶されたアドレスの次のアドレスから信号を読み取るよう前記ピックアップに指示する工程と、
を有することを特徴とするマルチメディアプレーヤの早期起動方法。
【請求項５】
マルチメディアプレーヤに含まれるコンピュータを、
記録媒体に記録された信号を読み取るピックアップと、
前記ピックアップから出力される信号を復調する信号復号化手段と、
前記復調された信号から前記記録媒体の記録方式を識別し、当該記録方式に適合した方法で前記復調された信号を処理し出力する信号処理手段と、
前記信号処理手段によって処理された信号を記録するメモリバッファと、
前記メモリバッファに記録された信号の最後の信号のアドレスを記憶するアドレス記憶手段と、
前記信号処理手段によって処理された信号を出力する出力手段として、
機能させることを特徴とするマルチメディアプレーヤの早期起動用プログラムにおいて、
前記信号処理手段が、前記記録方式を識別した後に続けて信号の処理を行う場合に、前記メモリバッファに記録された信号を出力すると共に、前記アドレス記憶手段に記憶された前記アドレスの次のアドレスから信号を読み取るよう前記ピックアップに指示する、
ことを特徴とするマルチメディアプレーヤの早期起動用プログラム。
【発明の詳細な説明】
【０００１】
【発明の属する技術分野】
本発明は、マルチメディアプレーヤ及びマルチメディアプレーヤの早期起動方法、並びにマルチメディアプレーヤの早期起動用プログラムの技術分野に属する。
【０００２】
【従来の技術】
従来のショックプルーフ機能を有するマルチメディアプレーヤは、音声ＣＤ（Ｃｏｍｐａｃｔ  Ｄｉｓｋ：コンパクトディスク）再生時とＣＤ−ＲＯＭ（Ｒｅａｄ−Ｏｎｌｙ  Ｍｅｍｏｒｙ：読み出し専用記憶装置）再生時とで動作を別にし、音楽ＣＤ再生時にはショックプルーフ機能が働いて音飛びを防止していた（例えば、特許文献１参照。）。
【０００３】
近年、ＤＴＳ方式で記録されたＣＤ（ｄｔｓ−ＣＤ）が登場してきた。ここで、ＤＴＳとは、Ｄｉｇｉｔａｌ  Ｔｈｅａｔｅｒ  Ｓｙｓｔｅｍｓの頭文字であり、米国カリフォルニア州のデジタル・シアター・システムズ社が開発した音声トラックのディジタル記録再生用に開発された音声システムの記録方式である。
【０００４】
そして、通常のディジタルオーディオＣＤ（ＣＤ−ＤＡ）とｄｔｓ−ＣＤはいずれも同一のフォーマットで信号が記録されており、しかもいずれの記録方式で記録されているかを示す識別符号（フラグ）はＣＤ上に記録されていないので、読み込んだ信号を復調して初めて記録された信号がいずれの記録方式であるかが判明するものである。
【０００５】
即ち、ＣＤ−ＤＡとｄｔｓ−ＣＤのいずれにも対応できるマルチメディア対応のＣＤプレーヤでは、読み込んだ信号を復調してｄｔｓヘッダ信号を読み取り、ｄｔｓのＰＣＭデータか否かを識別している（例えば、特許文献２参照。）。
【特許文献１】
特開平８−３３５３６４号公報（段落番号［００１２］）
【特許文献２】
特開平１１−３１７０２０号公報（段落番号［０００３］）
【０００６】
【発明が解決しようとする課題】
ＣＤ−ＤＡとｄｔｓ−ＣＤはいずれも同一のフォーマットで信号が記録されており、しかもいずれの種類の方式で記録されているかがＣＤ上に記録されていないので、ＣＤ−ＤＡとｄｔｓ−ＣＤのいずれにも対応できるマルチメディア対応のＣＤプレーヤでは、再生開始前に記録方式の識別動作を必要とする。
【０００７】
そして、この識別動作に続いてＣＤの先頭から信号の再生を行う場合には、識別のために既にデータを読み込んでいても、再度データを読み込みメモリバッファに書き込んで、ショックに備えつつ再生を行っていた。従って、再読み込み動作に要する時間だけＣＤの再生の開始が遅れていた。
【０００８】
この再生開始までの時間を図１（ａ）に示すタイムチャートを使って説明する。図１はショックプルーフ機能を有するマルチメディア対応のＣＤプレーヤの再生開始時のタイムチャートの概要である。図１（ａ）は従来例におけるタイムチャートの概要、図１（ｂ）は後述する本発明の一実施の形態におけるタイムチャートの概要を示している。ここでは、従来例である図１（ａ）に示すタイムチャートを説明する。
【０００９】
電源をオンしてＣＤを挿入するか、或いは、ＣＤを挿入した状態で電源をオンすると、ＣＤプレーヤは記録媒体の識別動作を行う。音声ＣＤであると認識すると、音声ＣＤを読み込んでデータをデータバッファに書き込むと共に信号処理部で音声ＣＤの記録方式がＣＤ−ＤＡとｄｔｓ−ＣＤのいずれの記録方式であるかを識別する。その後、識別結果に基いて再生条件を設定し、音声ＣＤの再生を開始する。
【００１０】
開始した音声ＣＤ再生動作では、音声ＣＤの先頭アドレスからデータを読み込みデータバッファに書き込むと共に信号処理部で音声ＣＤを再生する。音声ＣＤの音声が再生出力されるのは、この信号処理部で音声ＣＤが再生されたとき以降である。
【００１１】
即ち、音声ＣＤの記録方式の識別のために再生前に必ず音声ＣＤの先頭からデータを読み込むので、この識別に続いて音声ＣＤの先頭から信号の再生を行う場合には、識別のために既にデータを読み込んだにもかかわらず、再度読み込み動作を行う。よって、再読み込み動作が行われることになり、音楽再生が開始するまでに時間を要していた。
【００１２】
本発明が解決しようとする課題は、この再読み込み動作に要する時間を排除して早期起動を実現したＣＤプレーヤを初めとするマルチメディアプレーヤの提供、マルチメディアプレーヤの早期起動方法の提供、並びにマルチメディアプレーヤの早期起動用プログラムの提供が一例として挙げられる。
【００１３】
【課題を解決するための手段】
以下、本発明について説明する。なお、本発明の理解を容易にするために添付図面の参照符号を括弧書きにて付記するが、それにより本発明が図示の形態に限定されるものではない。
【００１４】
かかる課題を解決するために、請求項１にかかるマルチメディアプレーヤとしてのマルチメディア対応のＣＤプレーヤ（１）は、記録媒体としての音声ＣＤ（１０）に記録された信号を読み取るピックアップとしての光ピックアップ（２）と、光ピックアップ（２）から出力される信号を復調する信号復号化手段としての信号復号化回路（３）と、復調された信号から音声ＣＤ（１０）の記録方式を識別し、記録方式に適合した方法で復調された信号を処理し出力する信号処理手段としての信号処理部（５）と、信号処理部（５）によって処理された信号を記録するメモリバッファとしてのメモリバッファ（４）と、メモリバッファ（４）に記録された信号の最後の信号のアドレスを記憶するアドレス記憶手段としてのアドレス記憶部（６）と、信号処理部（５）によって処理された信号を出力する出力手段としての出力部（８）と、を有するマルチメディア対応のＣＤプレーヤ（１）において、
信号処理部（５）は、記録方式を識別した後に続けて信号の処理を行う場合に、メモリバッファ（４）に記録された信号を出力すると共に、アドレス記憶部（６）に記憶されたアドレスの次のアドレスから信号を読み取るよう光ピックアップ（２）に指示する、ことを特徴とする。
【００１５】
かかる課題を解決するために、請求項４にかかるマルチメディアプレーヤの早期起動方法は、ピックアップが記録媒体に記録された信号を読み取る工程と、信号復号化手段が前記ピックアップから出力される信号を復調する工程と、信号処理手段が、前記復調された信号から前記記録媒体の記録方式を識別し、当該記録方式に適合した方法で前記復調された信号を処理し出力する工程と、メモリバッファが前記信号処理手段によって処理された信号を記録する工程と、前記メモリバッファに記録された信号の最後の信号のアドレスをアドレス記憶手段に記憶するアドレス記憶工程と、出力手段が前記復調した信号を出力する工程と、を有するマルチメディアプレーヤの早期起動方法において、
前記信号処理手段が前記信号の種類を識別した後に続けて信号の復調を行う場合に、前記メモリバッファに記録された信号を出力すると共に、前記アドレス記憶手段に記憶されたアドレスの次のアドレスから信号を読み取るよう前記ピックアップに指示する工程と、を有することを特徴とする。
【００１６】
かかる課題を解決するために、請求項５にかかるマルチメディアプレーヤの早期起動用プログラムは、マルチメディアプレーヤに含まれるコンピュータを、記録媒体に記録された信号を読み取るピックアップと、前記ピックアップから出力される信号を復調する信号復号化手段と、前記復調された信号から前記記録媒体の記録方式を識別し、当該記録方式に適合した方法で前記復調された信号を処理し出力する信号処理手段と、前記信号処理手段によって処理された信号を記録するメモリバッファと、前記メモリバッファに記録された信号の最後の信号のアドレスを記憶するアドレス記憶手段と、前記信号処理手段によって処理された信号を出力する出力手段として、機能させることを特徴とするマルチメディアプレーヤの早期起動用プログラムにおいて、
前記信号処理手段が、前記記録方式を識別した後に続けて信号の処理を行う場合に、前記メモリバッファに記録された信号を出力すると共に、前記アドレス記憶手段に記憶された前記アドレスの次のアドレスから信号を読み取るよう前記ピックアップに指示する、ことを特徴とする。
【００１７】
【発明の実施の形態】
以下、本発明にかかるマルチメディアプレーヤの一実施の形態について、ＣＤプレーヤを例にして図面を用いて説明する。
【００１８】
図２は、本発明の一実施の形態にかかるＣＤプレーヤの構成概要を示すブロック図である。
【００１９】
マルチメディアプレーヤとしてのマルチメディア対応のＣＤプレーヤ１は、光ピックアップ２と、信号復号化回路３と、メモリバッファ４と、信号処理部５と、アドレス記憶部６と、出力部８と、を有して構成される。そして、ＣＤプレーヤには音声ＣＤ１０が搭載されている。
【００２０】
ここで、例えば、本実施の形態におけるＣＤプレーヤ１は本発明に係るマルチメディアプレーヤを、光ピックアップ２は本発明に係るピックアップを、信号復号化回路３は本発明に係る信号復号化手段を、メモリバッファ４は本発明に係るメモリバッファを、信号処理部５は本発明に係る信号処理手段を、アドレス記憶部６は本発明に係るアドレス記憶手段を、出力部８は本発明に係る出力手段を、音声ＣＤ１０は本発明に係る記録媒体を、それぞれ構成する。
【００２１】
光ピックアップ２は、例えば、レーザ発信器とレンズ、プリズム等の光学系部品、ＣＣＤ素子等のレーザ受光部で構成され、レーザを記録媒体に照射し、反射した光から記録媒体に記録された信号を読み取る。その結果、記録媒体がＤＶＤ（Ｄｉｇｉｔａｌ  Ｖｅｒｓａｔｉｌｅ  Ｄｉｓｋ）系であるかＣＤ系であるかといった記録媒体の種別を物理的に判別する。また、光ピックアップ２は、ショックプルーフ機能を実現するために、後述する出力部８が復調した信号を外部に出力する速度よりも大きい速度で、音声ＣＤ１０に記録された信号を読み取り、信号復号化回路３へと送出する。
【００２２】
信号復号化回路３は、例えば、ＣＰＵ（Ｃｅｎｔｒａｌ  Ｐｒｏｃｅｓｓｉｎｇ  Ｕｎｉｔ：中央情報処理装置）で構成され、光ピックアップ２から出力される信号を復調する。このとき、光ピックアップ２における判別結果から、記録媒体の種別に応じた信号復調を行う。記録媒体がＣＤ系であるとき、記録媒体からＴＯＣ（Ｔａｂｌｅ  ｏｆ  Ｃｏｎｔｅｎｔｓ）情報を読み込み、記録媒体がＣＤ−ＲＯＭであるか音声ＣＤであるかを識別する。
【００２３】
メモリバッファ４は、例えば、ＤＲＡＭ（Ｄｙｎａｍｉｃ  Ｒａｎｄｕｍ  Ａｃｃｅｓｓ  Ｍｅｍｏｒｙ：随時読み出し書き込み記憶装置）等のメモリで構成され、ショックプルーフ機能を実現するために、光ピックアップ２が読み取り、信号復号化回路３において復調された信号を、随時記録する。
【００２４】
信号処理部５は、例えば、ＣＰＵで構成され、信号復号化回路３の識別の結果、記憶媒体が音声ＣＤであるとき、復調された信号から音声ＣＤ１０に記録された信号の記録方式が通常のディジタルオーディオＣＤ（ＣＤ−ＤＡ）かＤＴＳ方式で記録されたＣＤ（ｄｔｓ−ＣＤ）かのいずれかを識別する。そして、識別した記録方式に適合した方式で、音声ＣＤ１０を再生する。また、記録方式を識別した後に続けて信号の処理を行う場合に、メモリバッファ４に記録された信号を出力すると共に、アドレス記憶部６に記憶されたアドレスの次のアドレスから信号を読み取るよう光ピックアップ２に指示する。
【００２５】
アドレス記憶部６は、例えば、ＣＰＵで構成され、メモリバッファ４に記録された信号の最後の信号のアドレスを記憶する。
【００２６】
出力部８は、例えば、スピーカや外部出力端子で構成され、再生した信号を音声又は電気信号の形で外部に出力する。
【００２７】
以上の構成を有するＣＤプレーヤ１の動作を図３を用いて以下に説明する。
【００２８】
図３はＣＤプレーヤ１の動作を示すフローチャートである。
【００２９】
ＣＤプレーヤ１の主電源をオンして記録媒体を挿入するか、或いは、記録媒体を挿入した状態で主電源をオンすると、ＣＤプレーヤ１は記録媒体の識別動作を行う（Ｓ１）。
【００３０】
この記録媒体識別工程（Ｓ１）では、挿入された記録媒体が音声ＣＤであるか、或いは、ＤＶＤやＣＤ−ＲＯＭ等の他の記録媒体であるかを光ピックアップ２と信号復号化回路３が識別する。具体的には、光ピックアップ２がレーザを照射し記録媒体の反射光を受光して、記録媒体がＣＤ系であるかＤＶＤ系であるかを判別する。ＤＶＤ系であればＤＶＤ系に適合した再生処理（Ｓ９９）へと移行する。ＣＤ系であればＴＯＣ情報を読み込んで音声ＣＤであるかＣＤ−ＲＯＭであるかを識別する。音声ＣＤであると認識されたときＣＤ−ＤＡ／ｄｔｓ−ＣＤ識別工程（Ｓ２）へ移行し、ＣＤ−ＲＯＭであると認識されたときはＣＤ−ＲＯＭに適合した再生処理（Ｓ９９）へと移行する。ＤＶＤ系やＣＤ−ＲＯＭ等の他の記録媒体における再生処理（Ｓ９９）の説明は省略する。
【００３１】
ＣＤ−ＤＡ／ｄｔｓ−ＣＤ識別工程（Ｓ２）において、挿入されている音声ＣＤ１０の信号の記録方式がＣＤ−ＤＡ、ｄｔｓ−ＣＤのいずれであるかを信号処理部５は識別する。
【００３２】
具体的には、光ピックアップ２が音声ＣＤ１０の先頭アドレスから信号を読み込み（Ｓ２１）、読み込んだ信号を信号復号化回路３が復調し、メモリバッファ４に記録する（Ｓ２２）。同時に復調した信号を信号処理部５へ送る（Ｓ２３）。信号処理部５において、復調した信号の中にｄｔｓヘッダ信号が含まれていないかどうかを確認し、ｄｔｓヘッダ信号が含まれていると判明したとき、ｄｔｓヘッダ信号を読み取ってｄｔｓデータか否かを識別する（Ｓ２４）。記録方式の識別が完了すると、識別終了工程（Ｓ２５）を実行する。信号の読み取り、及びメモリバッファ４への書き込みを停止し、メモリバッファ４に記録された信号の最後の信号のアドレスをアドレス記憶部６が記憶する。
【００３３】
次に、ＣＤ−ＤＡ／ｄｔｓ−ＣＤ再生工程を説明する。
【００３４】
まず、ＣＤ−ＤＡ／ｄｔｓ−ＣＤの再生条件の設定工程（Ｓ３１）を実行する。記録方式識別工程（Ｓ２４）で音声ＣＤ１０がＣＤ−ＤＡとｄｔｓ−ＣＤのいずれであるかが判明しているので、信号処理部５はその記録方式に適合する方式で音声ＣＤ１０を再生するように再生条件を設定する（Ｓ３１）。
【００３５】
次に、指示された再生開始の位置が音声ＣＤ１０の先頭アドレスであるか否かを信号処理部５が判断し（Ｓ３２）、先頭アドレスからの再生の場合は信号送出工程（Ｓ３３）に移行し、先頭アドレス以外の箇所からの再生の場合、メモリバッファ４のリセット、指定されたアドレスからの信号の読込と処理及び信号の送出という先頭アドレス以外のアドレスからの一連の再生工程（Ｓ４）を経て、通常の再生工程（Ｓ５）に移行する。
【００３６】
先頭アドレスからの再生が指示されているとき（Ｙ３２：Ｙ）、音声ＣＤ１０の信号の記録方式を識別するために用いた信号データがメモリバッファ４に保存されているので、信号処理部５はメモリバッファ４から記録された信号を読み込み処理して出力部８へと送出する（Ｓ３３）。
【００３７】
同時に、信号処理部５は、アドレス記憶部６に記録されたアドレスの次のアドレスから信号を読み込むよう光ピックアップ２に対して指示する（Ｓ３４）。
【００３８】
指定されたアドレスから光ピックアップ２が読み込んだ信号は、信号復号化回路３、メモリバッファ４を介して、信号処理部５へ送られ、メモリバッファ４に記録されているすべての信号の出力に続けて、出力部８へと送出する（Ｓ３５）。
【００３９】
先頭アドレス以外の箇所からの再生が指示されているとき（Ｓ３２：Ｎ）、指示されたアドレスから再生を行う（Ｓ５）。具体的には、光ピックアップ２が再生を指示されたアドレスへ移動し再生動作を行う。
【００４０】
以上のマルチメディア対応のＣＤプレーヤ１の動作に要する時間を、図１（ｂ）を用いて、図１（ａ）に示す従来技術と比較しつつ説明する。
【００４１】
図１（ｂ）は本実施の形態にかかるマルチメディア対応のＣＤプレーヤ１の動作を示すタイミングチャートの概要である。
【００４２】
音声ＣＤ１０の先頭アドレスからの再生が指示されたとき、記録媒体の識別工程（Ｓ１）、ＣＤ−ＤＡ／ｄｔｓ−ＣＤ識別工程（Ｓ２）、及び、識別結果に基いた音声ＣＤの再生条件設定工程（Ｓ３１）は、本実施の形態にかかるマルチメディア対応のＣＤプレーヤ１と従来のマルチメディア対応のＣＤプレーヤでは動作内容は同じである。
【００４３】
しかし、再生条件設定工程（Ｓ３１）以降に音声出力を開始するタイミングが、本実施の形態にかかるマルチメディア対応のＣＤプレーヤ１と従来のマルチメディア対応のＣＤプレーヤとでは異なっている。
【００４４】
即ち、先頭アドレスからの再生が指示されているので（Ｓ３２：Ｙ）、本実施の形態にかかるマルチメディア対応のＣＤプレーヤ１では、信号の記録方式を識別するために使用した信号データを信号処理部５はメモリバッファ４から取り出し出力部８へと送出できるので（Ｓ３３）、音声の再生を直ちに開始できる。
【００４５】
これに対して、従来のマルチメディア対応のＣＤプレーヤでは、信号の種類を識別するために使用した信号データがメモリバッファに保存されていても、再度音声ＣＤの先頭からデータを読み込みデータバッファに書き込むと共に信号処理部でＣＤを再生する。即ち、再生条件の設定工程（Ｓ３１）以降に、先頭アドレスから信号データの読み込みとメモリバッファへの書き込みを行い、音声再生を開始するので、再生までに時間を要する。
【００４６】
上記実施の形態は以下の効果を有する。
●  音声ＣＤの先頭アドレスからの再生動作の場合、音声ＣＤの記録方式の識別のために読み込んでいたデータを利用して再生を開始するので、再読み込み動作に要する時間を排除して早期起動を実現することが可能となる。
●  音声ＣＤの記録方式の識別のために読み込んだデータを、ショックプルーフ機能のためのメモリバッファ４に記憶し、音声ＣＤの先頭アドレスからの再生動作の場合に利用するので、新たな部品を必要とせず、安価に実現することができる。
【００４７】
なお、実施の形態は、上記に限定されるものではなく、例えば以下のように変形してもよい。
○  上記実施の形態では、工程Ｓ３４、Ｓ３５において、アドレス記憶部６に記憶されたアドレスの次のアドレスから信号を読み取る構成としたが、信号の読み取りは音声ＣＤ１０の先頭アドレスから行い、アドレス記憶部６に記憶されたアドレスまでの信号を信号処理部５において捨てて、その後の信号を送出する構成としても良い。信号処理部５内の信号処理の方法を変えるだけで対応が可能であり、光ピックアップ２の動作を通常の再生動作（Ｓ４）と同一にできる。
○  ＣＤ−ＤＡ／ｄｔｓ−ＣＤ再生工程（Ｓ３）の最初にＣＤ−ＤＡ／ｄｔｓ−ＣＤの再生条件の設定を行う構成としたが、ＣＤ−ＤＡ／ｄｔｓ−ＣＤ識別の終了工程（Ｓ２５）においてＣＤ−ＤＡ／ｄｔｓ−ＣＤの再生条件の設定を行うこともできる。この場合ＣＤ−ＤＡ／ｄｔｓ−ＣＤの再生条件が既に設定されているので、再生スイッチの押下後ＣＤ−ＤＡ／ｄｔｓ−ＣＤの再生条件設定を行うことなく再生が開始されるので、再生開始時間を更に短くすることができる。
○  本発明は音声ＣＤの再生に限定されるものではない。信号記録のフォーマットが同一であって、記録方式を示す識別符号が付されておらず、再生して初めて信号の記録方式が識別できる記録媒体であれば、本発明を適用することは可能である。
【００４８】
前記実施の形態から把握できる請求項記載以外の技術思想（発明）について、以下にその効果とともに記載する。
■  請求項１、２、４、５のいずれかに記載の発明において、信号の種類を識別した後に続けて信号の復調を行う場合に、メモリバッファに記録された信号を出力すると共に、信号処理手段は、アドレス記憶手段に記憶されたアドレスの次のアドレスから信号を送出する構成としても良い。信号の読み取りは先頭アドレスから行い、アドレス記憶手段に記憶されたアドレスまでの信号を信号処理手段において捨てて、その後の信号を送出する構成とすることで、ピックアップの動作を通常の再生動作と同一にできる。
【図面の簡単な説明】
【図１】図１はショックプルーフ機能を有するマルチメディア対応のＣＤプレーヤの再生開始時のタイムチャートの概要である。
図１（ａ）は従来例におけるタイムチャートの概要を示している。
図１（ｂ）は本実施の形態にかかるマルチメディア対応のＣＤプレーヤ１の動作を示すタイミングチャートの概要である。
【図２】図２は、本発明の一実施の形態にかかるＣＤプレーヤの構成概要を示すブロック図である。
【図３】図３はＣＤプレーヤ１の動作を示すフローチャートである。
【符号の説明】
１：ＣＤプレーヤ
２：光ピックアップ
３：信号復号化回路
４：メモリバッファ
５：信号処理部
６：アドレス記憶部
８：出力部
１０：音声ＣＤ
【図１】
2004178646.tif 000003
【図２】
2004178646.tif 000004
【図３】
2004178646.tif 000005